(57)【要約】  換気装置の装置本体１０は、第１換気口１２ｘを有する屋内側の第１主壁１２ａと、第２換気口１５ｘを有する屋外側の第２主壁１５ａとを備えている。換気装置はさらに、装置本体１０に回動可能に支持された第１、第２の作動板２０，３０と、これら第１、第２の作動板２０，３０をそれぞれ第１、第２の主壁１２ａ，１５ａから離間させる方向に付勢する第１、第２のバネ２６，３６とを有している。第１、第２の作動板２０，３０には、それぞれ弾性，通気性を有する第１、第２のパッキン２５，２６が取り付けられている。強風時に屋外が正圧の時には、第１作動板２０が屋外からの風圧により第１主壁１２ａに近づき、第１パッキン２５を介してのみ換気が行なわれる。強風時に屋外が負圧の時には、上記第２作動板３０が屋内からの風圧により第２主壁１５ａに近づき、第２パッキン３５を介してのみ換気が行なわれる。
2017103990.tif 000002
【特許請求の範囲】
【請求項１】
第１換気口（１２ｘ；５１ｘ；６１ｘ；８１ｘ）を有する第１主壁（１２ａ；５１ａ；６１ａ；８１ａ）と、第２換気口（１５ｘ；５５ｘ；６５ｘ；８５ｘ）を有する第２主壁（１５ａ；５５ａ；６５ａ；８５ａ）と、上記第１換気口と上記第２換気口を連ねる換気通路（１６）とを備えた装置本体（１０；５０；６０）と、
上記第１主壁に対して接近したり離れたりするように上記装置本体に回動可能に支持される第１作動板（２０）と、
上記第２主壁に対して接近したり離れたりするように上記装置本体に回動可能に支持される第２作動板（３０）と、
上記第１作動板を上記第１主壁から離れる方向に付勢する第１バネ（２６）と、
上記第２作動板を上記第２主壁から離れる方向に付勢する第２バネ（３６）と、
上記第１作動板の回動軸線から離れた位置において、上記第１作動板と上記第１主壁の対向面の少なくとも一方に取り付けられた弾性および通気性を有する第１パッキン（２５）と、
上記第２作動板の回動軸線から離れた位置において、上記第２作動板と上記第２主壁の対向面の少なくとも一方に取り付けられた弾性および通気性を有する第２パッキン（３５）と、
を備え、
上記第１作動板は、上記第１主壁より屋外側に配置され、屋外からの風圧により上記第１主壁に向かい、
上記第２作動板は、上記第２主壁より屋内側に配置され、屋内からの風圧により上記第２主壁に向かうことを特徴とする換気装置。
【請求項２】
上記第１主壁（１２ａ；５１ａ；６１ａ；８１ａ）が屋内側に配置され、上記第２主壁（１５ａ；５５ａ；６５ａ；８５ａ）が屋外側に配置され、上記第１、第２作動板（２０，３０）と上記第１、第２バネ（２６，３６）が、上記第１、第２主壁間の上記換気通路（１６）内に配置されていることを特徴とする請求項１に記載の換気装置。
【請求項３】
上記装置本体（１０；５０；６０）は、中空の細長構造体（１０ａ；５０ａ；６０ａ）と、この細長構造体の両端開口を塞ぐ一対の閉塞部材（１０ｂ；５０ｂ；６０ｂ）とを有し、上記第１、第２作動板（２０，３０）およびこれら第１、第２作動板の上記回動軸線が、上記細長構造体の長手方向に延びていることを特徴とする請求項２に記載の換気装置。
【請求項４】
上記装置本体（１０）には第１、第２のストッパ（２８，３８）が設けられ、これら第１、第２ストッパは、上記第１、第２作動板（２０，３０）をそれぞれ所定の離間位置で係止して回動を規制することを特徴とする請求項３に記載の換気装置。
【請求項５】
上記第１作動板（２０）の上記回動軸線が、上記第１換気口（１２ｘ）から、上記細長構造体（１０ａ；５０ａ；６０ａ）の長手方向と直交する第１方向に配置され、
上記第２作動板（３０）の上記回動軸線が、上記第２換気口（１２ｘ；５１ｘ；６１ｘ）から、上記第１方向とは逆の第２方向に配置されていることを特徴とする請求項４に記載の換気装置。
【請求項６】
上記第１、第２作動板（２０，３０）が、上記所定の離間位置において平行をなしていることを特徴とする請求項５に記載の換気装置。
【請求項７】
上記第１、第２のストッパ（２８，３８）は、上記装置本体の上記一対の閉塞部材（１０ｂ；５０ｂ；６０ｂ）の各々に設けられ、一対の上記第１ストッパが上記第１作動板（２０）の長手方向両端を係止し、一対の上記第２ストッパが上記第２作動板（３０）の長手方向両端を係止することを特徴とする請求項４に記載の換気装置。
【請求項８】
上記装置本体（１０）が窓サッシに組み込まれており、上記第１、第２主壁（１２ａ，１５ａ）が垂直をなし、
上記第１換気口（１２ｘ）が上記第１主壁に長手方向に間隔をおいて多数形成され、
さらに、上記第１主壁の屋内側の面に接するとともにスライド可能に支持された手動作動板（４０）を備え、この手動作動板が上記第１換気口と等ピッチで形成された多数の制御口（４１）を有することを特徴とする請求項３に記載の換気装置。
【請求項９】
上記第１、第２主壁（６１ａ，６５ａ）が水平をなし、上記第１主壁が第２主壁の上方に配置され、
上記第１作動板（２０）が上記第１主壁の下方に配置され、上記第２作動板（３０）が上記第２主壁の上方に配置され、
上記第１作動板が、この第１作動板の自重および上記第１バネ（２６）により上記第１主壁から離れる方向に付勢されており、
さらに上記第１作動板を上記第１主壁に向けて付勢する補助バネ（７０）を備えたことを特徴とする請求項４に記載の換気装置。
【請求項１０】
上記第１、第２パッキン（２５，３５）を構成する材料が、オープンセル構造の発泡樹脂からなることを特徴とする請求項１に記載の換気装置。
【発明の詳細な説明】
【技術分野】
【０００１】
本発明は、屋内の汚れた空気を屋外の新鮮な空気と入れ替えることにより、屋内環境を良好に維持するために用いられる換気装置に関する。
【背景技術】
【０００２】
特許文献１に第１実施例として開示された換気装置は、一般の建物等の窓サッシの上框に組み込まれるものであり、水平に直線状に延びる装置本体と作動板を備えている。装置本体は、換気口が形成された主壁を有している。作動板の上縁は、装置本体の主壁の近傍において、スライド可能かつ回動可能にして上記装置本体に支持されている。作動板が操作つまみの手動操作で水平にスライドされ、このスライドの過程でカム機構の作用で主壁に近づいたり離れたりすることにより、主壁に形成された換気口の開度が調節される。【０００３】
上記作動板の下縁部の主壁側の面には、非通気性のパッキンが装着されている。このパッキンは作動板が主壁に近づいた時に主壁に当たり、これにより作動板と主壁の間がシールされ、換気量が実質的にゼロになる。【０００４】
特許文献２に開示された換気装置は高層の建物等の壁に設置されるものである。水平に細長く延びる装置本体の主壁の下方に、作動板が平行をなして配置されている。操作レバーの操作で上記作動板が上下移動されることにより、上記主壁に形成された換気口の開度が調節される。この作動板の両側縁には、非通気性のパッキンが設けられている。作動板が上方へ移動した時にパッキンが主壁に当たり、作動板と主壁の間がシールされ、換気量が実質的にゼロになる。【０００５】
上述した特許文献１，２の換気装置では、作動板が主壁から離れた位置にある時に屋外で強い風が吹くと、屋内に風が入り込み、過剰に屋内へ給気されてしまう。そのため、特許文献３，４に開示されているように、風が強い場合には風圧により自動的に換気口を閉じる換気装置も開発されている。【０００６】
特許文献３、特許文献４に開示された換気装置では、換気口が形成された主壁の近傍かつ屋外側に、作動板が回動可能に支持されている。作動板は、風が無い時には自重またはバネの力で、主壁から離れた位置を維持されている。風が強い時には、作動板は風圧を受けて自重またはバネの力に抗して主壁に当接し、換気口を閉じている。これにより、強い風が屋内に入り込むのを防止している。
【先行技術文献】
【特許文献】
【０００７】
【特許文献１】特開２００５−２６４４２５号
【特許文献２】特開２０１０−２０３７０７号
【特許文献３】実開昭５７−１８５８９１
【特許文献４】特開平７−２３３９８０号
【発明の概要】
【発明が解決しようとする課題】
【０００８】
特許文献３，４の換気装置では、上述したように換気装置が強風を受けた時（換気装置において、屋外の気圧が屋内の気圧より著しく高い時）には、作動板が換気口を閉じて換気口から過剰に空気が屋内に入り込むのを防止できる。しかし、例えば換気装置が建物の強風が当たる側とは反対側に配置されていて、換気装置の屋外が負圧になる時（すなわち、上記とは逆に屋内の気圧が屋外の気圧より著しく高い時）には、作動板は開いたままであり、屋内の空気が過剰に排出されてしまう。【０００９】
特許文献３の換気装置では、強風時に作動板が閉じられた時に全く換気できなくなる。特許文献４の換気装置では、強風時に作動板が閉じても、換気口は完全に閉じられておらず小さな面積の開口が残り、この開口を介して換気を確保できる。しかし、小さな開口を風が通るために、風切音が発生する。また、強い風が小さな開口を通る際にこの開口近傍で乱流（渦流）が発生し、この乱流によって作動板が振動して主壁を小刻みにたたき、騒音となる。
【課題を解決するための手段】
【００１０】
本発明は、上記課題を解決したもので、換気装置において、
第１換気口を有する第１主壁と、第２換気口を有する第２主壁と、上記第１換気口と上記第２換気口を連ねる換気通路とを備えた装置本体と、
上記第１主壁に対して接近したり離れたりするように上記装置本体に回動可能に支持される第１作動板と、
上記第２主壁に対して接近したり離れたりするように上記装置本体に回動可能に支持される第２作動板と、
上記第１作動板を上記第１主壁から離れる方向に付勢する第１バネと、
上記第２作動板を上記第２主壁から離れる方向に付勢する第２バネと、
上記第１作動板の回動軸線から離れた位置において、上記第１作動板と上記第１主壁の対向面の少なくとも一方に取り付けられた弾性および通気性を有する第１パッキンと、
上記第２作動板の回動軸線から離れた位置において、上記第２作動板と上記第２主壁の対向面の少なくとも一方に取り付けられた弾性および通気性を有する第２パッキンと、
を備え、
上記第１作動板は、上記第１主壁より屋外側に配置され、屋外からの風圧により上記第１主壁に向かい、
上記第２作動板は、上記第２主壁より屋内側に配置され、屋内からの風圧により上記第２主壁に向かうことを特徴とする。【００１１】
上記構成によれば、強風を受ける時等のように、換気装置の屋外の気圧が屋内の気圧より著しく高くなると、第１作動板が屋外からの風圧を受けることにより、第１バネに抗して第１主壁に近づく。これにより、実質的に第１パッキンを介してのみ換気が行なわれ、屋内へ過剰に空気が入り込むのを防止することができる。これとは逆に、強風を受ける側とは反対側に換気装置がある時等のように、屋内の気圧が屋外の気圧より著しく高くなると、第２作動板が屋内からの風圧を受けることにより、第２バネに抗して第２主壁に近づく。これにより、実質的に第２パッキンを介してのみ換気が行なわれ、屋外へ過剰に空気が排出されるのを防止することができる。【００１２】
上述したように、強風時に過剰な空気の流通を回避しながらも換気を行うことができる。しかも、風圧が強くなるにしたがってパッキンの圧縮量が増大し、パッキンにおける流通断面積が減少するので、空気の流量を抑制することができる。また、空気が第１パッキンまたは第２パッキンを通り抜けるため、風切り音の発生を防止できるとともに、乱流の発生を抑制して作動板の振動に伴う騒音の発生も防止できる。【００１３】
好ましくは、上記第１主壁が屋内側に配置され、上記第２主壁が屋外側に配置され、上記第１、第２作動板と上記第１、第２バネが、上記第１、第２主壁間の上記換気通路内に配置されている。
この構成によれば、第１、第２作動板と第１、第２バネを装置本体内に収容できるので、故障の発生を抑制できる。【００１４】
好ましくは、上記装置本体は、中空の細長構造体と、この細長構造体の両端開口を塞ぐ一対の閉塞部材とを有し、上記第１、第２作動板およびこれら第１、第２作動板の上記回動軸線が、上記細長構造体の長手方向に延びている。【００１５】
好ましくは、上記装置本体には第１、第２のストッパが設けられ、これら第１、第２ストッパは、上記第１、第２作動板をそれぞれ所定の離間位置で係止して回動を規制する。
この構成によれば、第１、第２作動板を離間位置で安定させることができる。【００１６】
好ましくは、上記第１作動板の上記回動軸線が、上記第１換気口から、上記細長構造体の長手方向と直交する第１方向に配置され、上記第２作動板の上記回動軸線が、上記第２換気口から、上記第１方向とは逆の第２方向に配置されている。
この構成によれば、第１、第２作動板の逆配置により、第１、第２作動板を近接して配置することが可能となり、換気装置を小型化することができる。また、第１、第２ストッパが第１、第２作動板の開き方向の回動を規制することにより、第１、第２作動板を近接して配置しても、第１、第２作動板、第１、第２バネを含む構成要素間の干渉を回避できる。
さらに好ましくは、上記第１、第２作動板が、上記所定の離間位置において平行をなしている。【００１７】
好ましくは、上記第１、第２のストッパは、上記装置本体の上記一対の閉塞部材の各々に設けられ、一対の上記第１ストッパが上記第１作動板の長手方向両端を係止し、一対の上記第２ストッパが上記第２作動板の長手方向両端を係止する。
この構成によれば、第１、第２作動板の回動規制を確実に行うことができる。【００１８】
一つの態様では、上記装置本体が窓サッシに組み込まれており、上記第１、第２主壁が垂直をなし、上記第１換気口が上記第１主壁に長手方向に間隔をおいて多数形成され、さらに、上記第１主壁の屋内側の面に接するとともにスライド可能に支持された手動作動板を備え、この手動作動板が、上記第１換気口と等ピッチで形成された多数の制御口を有する。
この構成によれば、屋内で冷房または暖房を行っている場合に、手動作動板により換気量をゼロないしは抑制することにより、冷房、暖房の効率を向上させることができる。【００１９】
他の態様では、上記第１、第２主壁が水平をなし、上記第１主壁が第２主壁の上方に配置され、上記第１作動板が上記第１主壁の下方に配置され、上記第２作動板が上記第２主壁の上方に配置され、上記第１作動板が、この第１作動板の自重および上記第１バネにより上記第１主壁から離れる方向に付勢されており、さらに上記第１作動板を上記第１主壁に向けて付勢する補助バネを備えている。
この構成によれば、第１作動板がその自重により第１主壁から離れる方向の力を受けていても、補助バネによりその自重の一部または全部を相殺することにより、第１作動板は風圧により確実に第１主壁に向けて上方へ回動することができる。【００２０】
上記第１、第２パッキンを構成する材料が、オープンセル構造の発泡樹脂からなる。この構成によれば、パッキン材料の所望の弾性、通気性を比較的簡単に得ることができる。
【発明の効果】
【００２１】
本発明によれば、屋内に入り込む空気量を良好に制御できるとともに、屋外へ排気される空気量を良好に制御することができる。また、騒音の発生を防止することができる。
【図面の簡単な説明】
【００２２】
【図１】本発明の第１実施形態をなす換気装置の斜視図であり、長手方向の中間部を省略して示す。
【図２】同換気装置を、風が弱く第１、第２作動板がそれぞれ第１、第２主壁から離間した状態で示す断面図である。
【図３】同換気装置を、風が強く屋外が正圧の時に第１作動板が第１主壁に接近した状態で示す断面図である。
【図４】同換気装置を、風が強く屋外が負圧の時に第２作動板が第２主壁に接近した状態で示す断面図である。
【図５】本発明の第２実施形態をなす換気装置の断面図である。
【図６】本発明の第３実施形態をなす換気装置の断面図である。
【図７】図６の要部拡大断面図である。
【図８】本発明の第４実施形態をなす換気装置の断面図である。
【発明を実施するための形態】
【００２３】
以下、本発明の第１実施形態に係わる窓サッシ組み込みタイプの換気装置について、図１〜図４を参照しながら説明する。図１に示すように、換気装置１は装置本体１０を備えている。この装置本体１０は水平に直線状に延びる中空の細長構造体１０ａと、この細長構造体１０ａの両端開口を塞ぐ一対の閉塞部材１０ｂ（図１において一方のみ示す）とを有している。図１では、細長構造体１０ａの長手方向中間部が省略され実際より短く示されている。
【００２４】
図１、図２に示すように、上記細長構造体１０ａは、２つの押出型材１１，１５を連結することにより構成されている。型材１１は、屋内側垂直部１２と、下側連結部１３と、上側連結部１４とを有している。
【００２５】
上記下側連結部１３は、逆Ｕ字形をなし、ガラス板１０１の上縁部が嵌め込まれる。上記上側連結部１４は上方に突出する一対のリブを有し、これら一対のリブが窓サッシの上框１０２に差し込まれる。このようにして、換気装置１は窓サッシに組み込まれている。
【００２６】
上記型材１１の屋内側垂直部１２の上部は下部より屋外側に後退しており、主壁１２ａ（第１主壁）として提供される。この主壁１２ａには、垂直に細長い換気口１２ｘ（第１換気口）が長手方向に等間隔をなして多数形成されている。
【００２７】
上記屋内側垂直部１２には、上記主壁１２ａの上下縁に隣接し、主壁１２ａより屋内側に位置する係合溝１２ｂ、１２ｃが形成されている。この係合溝１２ｂ、１２ｃには、後述する手動作動板４０がスライド可能に支持されている。
【００２８】
上記主壁１２ａと上側連結部１４の交差部には、軸支部１２ｄが形成されている。この軸支部１２ｄは、主壁１２ａの屋外側において主壁１２ａに隣接し、上記換気口１２ｘより上方（第１方向）に位置している。この軸支部１２ｄには、後述する作動板２０（第１作動板）が回動可能に支持されている。
【００２９】
上記型材１５は断面略Ｌ字形をなし、屋外に臨む垂直な主壁１５ａ（第２主壁）と、主壁１５ａの下端縁から屋内側に突出する水平部１５ｂとを有している。主壁１５ａの上下縁は、型材１１の下側連結部１３および上側連結部１４の屋外側の縁に連結されている。主壁１５ａには、垂直に細長い換気口１５ｘ（第２換気口）が長手方向に等間隔をなして多数形成されている。この換気口１５ｘは上記換気口１２ｘより下方に配置されている。
【００３０】
上記型材１５の主壁１５ａと水平部１５ｂとの交差部には軸支部１５ｄが形成されている。この軸支部１５ｄは、主壁１５ａの屋内側において主壁１５ａに隣接し、上記換気口１５ｘより下方（第２方向）に位置している。この軸支部１５ｄには、後述する作動板３０が回動可能に支持されている。
【００３１】
上記装置本体１０の内部空間が、換気口１２ｘ、１５ｘを連ねる換気通路１６として提供される。この換気通路１６は換気口１２ｘを介して屋内に連なり、換気口１５ｘを介して屋外に連なっている。
【００３２】
装置本体１０内には、押出型材からなる上記作動板２０，３０が収容されている。作動板２０（第１作動板）は、その上側縁に形成された断面円形の軸部が上記装置本体１０の軸支部１２ｄに差し込まれることにより、主壁１２ａに対して離れたり近づいたり回動可能に支持されている。
【００３３】
上記作動板２０の下部（回動軸線から離れた部位）において、主壁１２ａを向く面には、パッキン２５（第１パッキン）が取り付けられている。このパッキン２５は作動板２０に沿ってその全長にわたって延びており、均一厚さを有している。
【００３４】
上記パッキン２５は、オープンセル構造の発泡樹脂（たとえばウレタンフォーム）からなり、通気性と厚み方向の弾性（クッション性）とを有している。本実施形態のパッキン２５は、密度２０〜４０Ｋｇ／ｍ３で、フィルタとして市販されているものを用いることができ、例えばＩＮＯＡＣ社の製品（ＭＦ−１３）を用いることができる。
【００３５】
上記作動板２０は、作動板２０の長手方向に間隔をおいて配置された複数の引張コイルバネ２６（第１バネ）により、その自重に抗して主壁１２ａから離れる方向に付勢されている。このコイルバネ２６の両端は、作動板２０の下部から屋外側に突出するバネ掛け部と、上記型材１１の上側連結部１４に形成されたバネ掛け部に、それぞれ掛けられている。
【００３６】
作動板３０（第２作動板）は、その下側縁に形成された断面円形の軸部が上記装置本体１０の軸支部１５ｄに差し込まれることにより、主壁１５ａに対して離れたり近づいたり回動可能に支持されている。
【００３７】
上記作動板３０の上部（回動軸線となる軸部から離れた部位）において、主壁１５ａを向く面には、上述したパッキン２５と同様のパッキン３５（第２パッキン）が取り付けられている。
【００３８】
上記作動板３０は、作動板３０の長手方向に間隔をおいて配置された複数の引張コイルバネ３６（第２バネ）により、主壁１５ａから離れる方向に付勢されている。このコイルバネ３６の両端は、作動板３０の上部から屋内側に突出するバネ掛け部と、上記型材１５の水平部１５ｂに形成されたバネ掛け部に、それぞれ掛けられている。
【００３９】
上記装置本体１０の一対の閉塞部材１０ｂの各々には、２つのストッパ２８，３８（第１、第２のストッパ）が換気通路１６に向かって突出するように形成されている。これらストッパ２８，３８は、引張りコイルバネ２６，３６による上記作動板２０，３０の離間方向の回動を規制し、所定の離間位置を定めるものである。
【００４０】
さらに換気装置１は作動板４０（手動作動板）を備えている。この作動板４０には、上記主壁１２ａの換気口１２ｘと同形状の制御口４１が同ピッチで多数形成されている。作動板４０は、主壁１２ａの屋内側の面に接し、その上下縁が上記装置本体１０の係合溝１２ｂ、１２ｃにそれぞれ係合されることにより、装置本体１０に長手方向にスライド可能に支持されている。
【００４１】
図１に示すように細長構造体１０ａの右端部には支持プレート４５が取り付けられている。この支持プレート４５は、上記作動板４０の右端部の屋内側に配置され、その上下縁が上記係合溝１２ｂ、１２ｃに係合された状態で固定されている。
【００４２】
上記支持プレート４５には、操作つまみ４６が装置本体１０の長手方向（左右方向）にスライド可能に支持されている。この操作つまみ４６は上記作動板４０に連結されており、操作つまみ４６を操作することにより、作動板４０は上記制御口４１が上記主壁１２ａの換気口１２ｘと一致する開き位置と、制御口４１が換気口１２ｘと一致しない閉じ位置との間でスライドされる。
【００４３】
上記構成の換気装置１において、風が無い時または弱い時には、図２に示すように作動板２０、３０はコイルバネ２６、３６の力により主壁１２ａ、１５ａから離れ、パッキン２５，３５と主壁１２ａ，１５ａとの間の間隙、換気口１２ｘ、１５ｘを介して、通常の換気が行なわれる。作動板２０は、その両端で一対のストッパ２８により係止され、所定の離間位置に維持される。作動板３０も一対のストッパ３８により係止され、所定の離間位置に維持される。
【００４４】
上記離間位置では、作動板２０，３０は傾斜し、互いに平行をなしている。コイルバネ２６，３６は、換気通路１６の上部と下部にそれぞれ配置され、その一部が作動板２０，３０の狭い空間に入り込んでいる。そのため、互いに平行をなす主壁１２ａ，１５ａ間の限られた空間内で、２つの作動板２０，３０と２つのコイルバネ２６、３６を互いに干渉せずに組み込むことができる。
【００４５】
換気装置１が強風を受けて屋外側が正圧になると、作動板２０は主壁１２ａ方向の風圧を受ける。この風圧が高くなると作動板２０はコイルバネ２６に抗して回動し、図３に示すように主壁１２ａに近づき、パッキン２５が主壁１２ａに接する。その結果、強い風が屋内に入り込んで過剰給気になるのを防止することができる。この際、作動板３０は主壁１５ａから離れる方向に大きな力を受けるが、ストッパ３８に係止されているため、所定の離間位置からさらに回動することはない。
【００４６】
作動板３０が下方に配置され、作動板２０が上方に配置されているので、作動板２０は、作動板３０に邪魔されずに屋外からの風圧を受け止めて主壁１２ａに向けて回動することができる。
【００４７】
上述したように、上記作動板２０が主壁１２ａに近づきパッキン２５が作動板２０と主壁１２ａに挟まれた状態でその全長にわたって主壁１２ａに接した状態でも、パッキン２５はオープンセル構造の発泡樹脂からなり通気性を有しているため、図３に矢印で示すように空気がパッキン２５内を通って屋内に流入する。そのため、屋内環境を良好に維持できる。
なお、作動板２０が離間位置から近接位置に達した時、空気の流入量が減少するが、この時の流入量を十分確保できるように、上記パッキン２５の弾性、通気性が決定される。
【００４８】
図３に示す状態からさらに風圧が強くなると、作動板２０はさらに主壁１２ａに向かって押され、パッキン２５を圧縮する。このパッキン２５の圧縮によりパッキン２５の流通断面積が減少する。このように風圧が高まるにつれてパッキン２５の圧縮量が増大し流通断面積が減少するので、屋内への空気の流入量の増大を抑制することができる。
【００４９】
作動板２０が接近位置にある時、空気はパッキン２５内部の多数の小さな通気路を通って屋内に流入するため、剛性の部材で囲われた開口から高圧の空気が流れ込む時に生じるような風切り音は生じない。また、作動板２０の近傍で大きな乱流も生じないため作動板２０の振動は生じず、この振動に起因した騒音も発生しない。
【００５０】
換気装置１が建物の強風を受ける側と反対側に配置されている場合には、屋外が負圧になり、屋内の空気が屋外へ排気される。この屋内からの風圧が高くなると、作動板３０はコイルバネ３６に抗して主壁１５ａに向けて回動する。その結果、図４示すようにパッキン３５が主壁１５ａに当たり、屋内から過剰に排気されるのを防止することができるとともに、換気を継続することができる。パッキン３５の作用はパッキン２５と同様である。
この際、作動板２０は主壁１２ａから離れる方向に大きな力を受けるが、ストッパ２８に係止されているため、所定の離間位置からさらに回動することはない。
【００５１】
作動板３０が下方に配置され、作動板２０が上方に配置されているので、作動板３０は、作動板２０に邪魔されずに屋内からの風圧を受け止めて主壁１５ａに向けて回動することができる。
【００５２】
本実施形態では、操作つまみ４６の操作により、作動板４０をスライドさせることにより、換気口１２ｘの開度を調節できる。これにより、冷房や暖房を行っている時には、空気の流通量をゼロか小さく抑えることができ、冷房、暖房の効率を上げることができる。
【００５３】
次に、本発明の他の実施形態について説明する。これら実施形態において先行して説明する実施形態に対応する構成部には同番号を付してその詳細な説明を省略する。
図５に示す第２実施形態の換気装置２は、高層ビルの壁に設置されるものである。簡単に説明すると、図５において、符号１０３は、ビルの壁に設置されガラス板１０４の下縁部を支持する支持枠を示す。この支持枠１０３は水平に細長く延びる型材からなり、屋外側の垂直壁１０３ａと屋内側の水平壁１０３ｂを有している。垂直壁１０３ａには支持枠１０３の長手方向に延びる細長い開口１０３ｘが形成され、水平壁１０３ｂには、多数の通気穴１０３ｙが支持枠１０３の長手方向に間隔をおいて形成されている。垂直壁１０３ａと水平壁１０３ｂの間の内部空間が空気の通路１０３ｚとして提供されている。
【００５４】
水平壁１０３ｂの上には支持枠１０３の長手方向に延びる蓋部材１０５が配置されている。この蓋部材１０５がセットされている時には通路１０３ｚが閉じられ、蓋部材１０５を外した時には、通路１０３ｚが開かれる。
【００５５】
換気装置２は、上記支持枠１０３の開口１０３ｘから、通路１０３ｚ内に挿入されている。この換気装置２の装置本体５０は、第１実施形態の換気装置１と同様に、中空をなす細長構造体５０ａと、この細長構造体５０ａの両端開口を塞ぐ閉塞部材５０ｂとを有している。細長構造体５０ａは２つの押出型材５１、５５を連結することにより構成されている。
【００５６】
一方の押出型材５１は、屋内側に配置されるとともに換気口５１ｘを有する垂直の主壁５１ａ（第１主壁）と、バネ掛け部が形成された水平部５１ｂとを有している。他方の押出型材５５は、屋外側に配置されるとともに換気口５５ｘを有する垂直の主壁５５ａ（第２主壁）と、上下の水平部５５ｂ、５５ｃと、主壁５５ａの延長上に配置された鍔部５５ｄとを有しており、この鍔部５５ｄを支持枠１０３の垂直壁１０３ａに固定することにより、換気装置２が支持枠１０３に取り付けられている。
【００５７】
作動板２０，３０、パッキン２５，３５、コイルバネ２６，３６、ストッパ２８，３８の配置、作用は第１実施形態と同様であるので、詳細な説明を省略する。
【００５８】
図６、図７に示す第３実施形態の換気装置３は、第２実施形態と同様に高層ビルの支持枠１０３に設置されるものである。この支持枠１０３の屋外側の垂直壁１０３ａには、多数の通気穴１０３ｘ’が支持枠１０３の長手方向に間隔をおいて形成され、屋内側の水平壁１０３ｂには、支持枠の長手方向に延びる細長い開口１０３ｙ’が形成されている。換気装置３は、この開口１０３ｙ’から通路１０３ｚに挿入されている。
【００５９】
換気装置３の装置本体６０は、水平に延びる中空の細長構造体６０ａと、この細長構造体６０ａの両端開口を塞ぐ閉塞部材６０ｂとを備えている。細長構造体６０ａは、上下２つの押出型材６１，６５を連結することにより構成されている。
【００６０】
一方の押出型材６１は、屋内側に配置されるとともに換気口６１ｘ（第１換気口）を有する水平の主壁６１ａ（第１主壁）と、この主壁６１ａから下方に垂直に延びる一対の鍔部６１ｂとを有している。他方の押出型材６５は、屋外側に配置され換気口６５ｘ（第２換気口）を有する水平の主壁６５ａ（第２主壁）と、この主壁６５ａの両側縁から垂直に起立する一対の起立壁６５ｂを有している。これら一対の起立壁６５ｂが上記押出型材６１の一対の鍔部６１ｂに固定されている。屋内側の主壁６１ａは屋外側の主壁６５ａの上方に配置されている。
【００６１】
本実施形態では、互いに平行をなす主壁６１ａ、６５ａが水平をなしている点で第１、第２実施形態と異なるが、作動板２０，３０、パッキン２５，３５、コイルバネ２６，３６、ストッパ２８，３８の配置、作用は第１実施形態と同様であるので、詳細な説明を省略する。
【００６２】
本実施形態では、作動板２０は、その自重とコイルバネ２６により下方への主壁６１ａから離れる方向の力を受ける。そのため、屋外の風圧により主壁６１ａに向かう時の抵抗が大きい。そこで、本実施形態ではねじりバネ７０（補助バネ）が装備されている。このねじりバネ７０は、押出型材６５の一方の起立壁６５ｂに支持されたシャフト７１に巻かれており、一片が起立壁６５ｂに当たっている。他片には板バネからなる延長部材７２が固定されている。延長部材７２は作動板２０の下面のバネ掛け部に当たっており、作動板２０を上方にすなわち主壁６１ａに向けて付勢している。
【００６３】
ねじりバネ７０の力は作動板２０の自重にほぼ匹敵する。通常時には、作動板２０はコイルバネ２６の力でストッパ２８に係止されて離間位置を維持される。作動板２０が屋外からの風圧により上方の力を受けた時には、主壁６１ａに向かう。この際、ねじりバネ７０と重力が相殺されるので、作動板２０は、パッキン２５が主壁６１ａに当たる位置まで確実に回動することができる。
【００６４】
図８に示す第４実施形態では、換気装置４は、屋内側ユニット４Ａと屋外側ユニット４Ｂとを有している。高層ビルに組み込まれた支持枠１０６の上側の水平壁１０６ａに屋内側ユニット４Ａが下方に突出するようにして設置され、下側の水平壁１０６ｂに屋外側ユニット４Ｂが上方に突出するようにして設置されている。屋内側ユニット４Ａの上には、手動により通路を開閉する装置１０７が設置されている。
【００６５】
屋内側ユニット４Ａは、水平方向に延びる押出型材８１と、この型材８１にその長手方向に等間隔をおいて固定された複数のＵ字形のブラケット８２とを有している。型材８１は水平をなす主壁８１ａを有しており、この主壁８１ａには、その長手方向に等間隔をなして多数の換気口８１ｘ（第１換気口）が形成されている。
【００６６】
屋外側ユニット４Ｂは、水平方向に延びる押出型材８５と、この型材８５にその長手方向に等間隔をおいて固定された複数のＵ字形のブラケット８６とを有している。型材８５は水平をなす主壁８５ａを有しており、この主壁８５ａには、その長手方向に等間隔をなして多数の換気口８５ｘ（第２換気口）が形成されている。
【００６７】
屋内側ユニット４Ａの型材８１には作動板２０が支持され、作動板２０とブラケット８２との間にはコイルバネ２６が架け渡され、さらに、ねじりバネ７０がブラケット８２に設けられている。本実施形態のねじりバネ７０はヒンジ７５を介して作動板２０に上方への力を付与するが、その作用は第３実施形態と同様である。ブラケット８２には、作動板２０の離間方向の回動を規制するマット８３（第１ストッパ）が設けられている。
【００６８】
屋外側ユニット４Ｂの型材８５には作動板３０が支持され、作動板３０とブラケット８５との間にはコイルバネ３６が架け渡されている。ブラケット８６には、作動板３０の離間方向の回動を規制するマット８７（第２ストッパ）が設けられている。
【００６９】
換気装置４では、支持枠１０６の水平壁１０６ａ，１０６ｂ間の内部空間が換気通路１６として提供される。換気装置４の装置本体は、上記型材８１，８５、ブラケット８２，８６のみならず、支持枠１０６も含む。
【００７０】
本発明は、上記実施形態に制約されず、種々の態様を採用することができる。第１、第２パッキンは弾性および通気性を有するものであれば特に制約はなく、繊維からなる不織布等であってもよい。パッキンは、主壁に設けてもよいし、作動板と主壁の対向面の両方に設けてもよい。
【００７１】
第１、第２ストッパは、装置本体に形成された軸支部のスリットの一方の縁によって構成してもよい。
【産業上の利用可能性】
【００７２】
本発明は、強風時に換気を制限できる換気装置に適用することができる。
【図１】
2017103990.tif 000003
【図２】
2017103990.tif 000004
【図３】
2017103990.tif 000005
【図４】
2017103990.tif 000006
【図５】
2017103990.tif 000007
【図６】
2017103990.tif 000008
【図７】
2017103990.tif 000009
【図８】
2017103990.tif 000010
【国際調査報告】
2017103990.tif 000011
2017103990.tif 000012
2017103990.tif 000013
2017103990.tif 000014